(57)【要約】  【課題】  出力されている放送内容が突然変更されることを防止する選局制御装置を提供する。  【解決手段】  番組判定処理(Ｓ１４)で、番組が変更されていると判定されたら（Ｓ１４：ＹＥＳ）、同じ番組を放送している放送局があるか否かを、ＥＰＧ（電子番組表）情報に基づいて検索する（Ｓ１８）。この処理（Ｓ１８）で、同じ番組を放送していている放送局があると判定した場合は（Ｓ１８：ＹＥＳ）、同じ番組を放送しているキー局が異なる放送局に切り替える処理（Ｓ２０）を実行している。そのため、放送サービスエリアを移っても、キー局に縛られることなく同じ放送内容が出力されるので、出力されている放送内容が突然変更されることを防止して、車両の搭乗者に不快感を与えることを防止することができる。【選択図】  図４
2006050335.tif 000002
【特許請求の範囲】
【請求項１】
放送電波を受信し、指定された放送局の放送電波に基づく放送内容を出力する受信出力手段に対し、放送局を指定する選局制御装置であって、
放送局の番組情報を取得する番組情報取得手段と、
各放送サービスエリアに属する放送局を記憶する記憶手段と、
移動体の放送サービスエリア間の移動の有無を判定する判定手段と、
この判定手段が移動体の放送サービスエリア間の移動有りと判定したら、前記番組情報取得手段で取得した番組情報に基づいて、移動前の放送サービスエリアで出力されていた放送内容と同じ放送内容を出力可能な放送局を、移動後の放送サービスエリアに属する前記記憶手段に記憶された放送局から検索する検索手段と
を備え、
この検索手段で検索された放送局を前記受信出力手段に対し指定することを特徴とする選局制御装置。
【請求項２】
請求項１記載の選局制御装置において、
移動体が現在位置する現在位置情報を特定する位置特定手段を備え、
前記判定手段は、この位置検出手段で検出された現在位置情報に基づいて、移動体の放送サービスエリア間の移動の有無を判定することを特徴とする選局制御装置。
【請求項３】
請求項１記載の選局制御装置において、
前記受信出力手段で受信する放送電波の受信状態を検出する受信状態検出手段を備え、
前記判定手段は、この受信状態検出手段で検出された放送電波の受信状態を比較して、移動体の放送サービスエリア間の移動の有無を判定することを特徴とする選局制御装置。
【請求項４】
請求項１〜３のいずれかに記載の選局制御装置において、
警報を発生する警報手段を備え、
移動前に出力していた放送内容と同じ放送内容を出力可能な放送局が前記検索手段において検索されなかった場合、前記警報手段に警報を発生させることを特徴とする選局制御装置。
【請求項５】
請求項１〜４のいずれかに記載の選局制御装置において、
放送局を選局するための各スイッチ、及び、前記スイッチの各々に割り当てられた放送局を記憶するプリセットメモリ手段を有し、前記スイッチが操作を受け付けると、操作された前記スイッチに対応する前記プリセットメモリ手段に記憶された放送局を前記受信出力手段に対し指定するプリセット操作手段と、
前記判定手段が移動体の放送サービスエリアの移動有りと判定したら、前記記憶手段に基づいて、前記各スイッチに割り当てられた各放送局を、移動前の放送サービスエリアに属する各放送局から移動後の放送サービスエリアに属する各放送局に変更するプリセットメモリ変更手段と
を備えることを特徴とする選局制御装置。
【請求項６】
請求項５記載の選局制御装置において、
各スイッチに割り当てられる変更後の各放送局は、変更前の各放送局とキー局が一致する放送局が割り当てられることを特徴とする選局制御装置。
【発明の詳細な説明】
【技術分野】
【０００１】
本発明は、車両が放送サービスエリアを移っても、移動の前後で同じ放送内容を継続して視聴可能な機能を有する選局制御装置に関する。
【背景技術】
【０００２】
従来より、上述した機能を有する選局制御装置を備える装置として車載ナビゲータが知られており、この車載ナビゲータは、各位置で受信可能な放送局を記憶しており、車両が移動したら放送内容を出力していた移動前の放送局とキー局が共通する移動後の放送局を、車両の移動先で受信可能な放送局の中から検索している。そして、その検索結果に基づいて、放送内容を出力する放送局を移動前の放送局から移動後の放送局に変更している。従って、この車載ナビゲータを用いれば、キー局では同じ番組を放送していることが多いので、移動の前後で同じ放送内容を継続して視聴することができる（特許文献１）。
【０００３】
また、上述した機能を有する選局制御装置を備える装置として車載用放送受信装置が知られており、この車載放送受信装置は、あらかじめキー局が共通する放送局の対応関係を記憶しておき、車両が移動して放送内容を出力していた移動前の放送局の受信状態が悪くなったら、前述した対応関係から受信状態がよい放送局を検索している。そして、その検索結果に基づいて、放送内容を出力する放送局を移動前の放送局から、その受信状態がよい放送局に変更している。従って、この車載用放送受信装置を用いても、キー局では同じ番組を放送していることが多いので、移動の前後で同じ放送内容を継続して視聴することができる（特許文献２）。
【特許文献１】特開昭５８−９０６８４号公報
【特許文献２】特開平０５−４８３９６号公報
【発明の開示】
【発明が解決しようとする課題】
【０００４】
しかし、同じ局をキー局とする放送局同士でも、同じ時間帯に同じ番組を必ず放送しているとは限らない。このような問題は地方ほど多く、あるキー局の系列の放送局がある放送サービスエリア内に存在しても、そのキー局の番組を他のキー局の系列の放送局やローカルな放送局で放送することがあるからである。そのため、車両が移動して、変更前の放送局を、この放送局と同じ系列の放送局に変更しても、出力される放送内容が突然変更されることがあり、車両の搭乗者に不快感を与えてしまうという問題があった。
【０００５】
そこで本発明では、上述した問題点を解決し、あるキー局の系列の放送局が同じ放送サービスエリア内に存在しても、そのキー局の番組を他のキー局の系列の放送局やローカルな放送局で放送することがあるような場所に移動しても、出力される放送内容が突然変更されることを防止する選局制御装置を提供することを目的とする。
【課題を解決するための手段】
【０００６】
上述した問題点を解決するためになされた発明である請求項１に記載された発明は、放送電波を受信し、指定された放送局の放送電波に基づく放送内容を出力する受信出力手段に対し、放送局を指定する選局制御装置であり、放送局の番組情報を番組情報取得手段で取得し、各放送サービスエリアに属する放送局を記憶手段に記憶し、移動体の放送サービスエリア間の移動の有無を判定手段で判定している。そして、この判定手段が移動体の放送サービスエリア間の移動有りと判定したら、前記番組情報取得手段で取得した番組情報に基づいて、移動前の放送サービスエリアで出力されていた放送内容と同じ放送内容を出力可能な放送局を、移動後の放送サービスエリアに属する前記記憶手段に記憶された放送局から検索手段で検索し、この検索手段で検索された放送局を前記受信出力手段に対し指定している。
【０００７】
つまり、本発明の選局制御装置では、移動体が移動して移動体が位置する放送サービスエリアが変わり、放送内容を出力している放送局を切り替えるときに、番組情報取得手段で取得した放送局の番組情報を利用し、切替先の放送局として、同じ放送内容を放送している放送局を選択して、放送局を切り替えている。従って、本発明の選局制御装置を用いれば、あるキー局の系列の放送局が同じ放送サービスエリア内であっても、そのキー局の番組を他のキー局の系列の放送局やローカル局で放送することがあるような場所に移動しても、出力される放送内容が突然変更されることを防止することができるので、車両の搭乗者に不快感を与えることを防止することができる。
【０００８】
移動体が放送サービスエリアを移ったか否かの判定は、請求項２に記載したように、移動体が現在位置する現在位置情報を位置特定手段で特定し、移動体の放送サービスエリア間の移動の有無を判定手段で判定してもよいし、請求項３に記載したように、受信出力手段で受信する放送電波の受信状態を受信状態検出手段で検出し、この受信状態検出手段で検出された放送電波の受信状態を比較して、移動体の放送サービスエリア間の移動の有無を判定手段で判定してもよい。
【０００９】
ところで、移動前に出力していた放送内容と同じ放送内容を出力可能な放送局が検索手段において検索されなかった場合は、車両の搭乗者に不快感を与えないため、請求項４に記載したように、警報を発生する警報手段を用い、警報を発生させてもよい。
【００１０】
尚、放送局を選局するための各スイッチ、及び、前記スイッチの各々に割り当てられた放送局を記憶するプリセットメモリ手段を有し、スイッチが操作を受け付けると、操作されたスイッチに対応するプリセットメモリ手段に記憶された放送局を受信出力手段に対し指定するプリセット操作手段と、判定手段が移動体の放送サービスエリアの移動有りと判定したら、記憶手段に基づいて、各スイッチに割り当てられた各放送局を、移動前の放送サービスエリアに属する各放送局から移動後の放送サービスエリアに属する各放送局に変更するプリセットメモリ変更手段とを備え、移動体が放送サービスエリアを移ったとき、放送局を選局するための各スイッチに割り当てられた放送局を、移動前の放送局から移動後の放送局に変更してもよい。その場合、各スイッチに割り当てられる変更後の各放送局は、変更前の各放送局とキー局が一致する放送局が割り当てられることが好ましい。
【発明を実施するための最良の形態】
【００１１】
以下、本発明が適用された実施形態について図面を用いて説明する。
図１は本実施形態の車載ナビゲーション装置１の構成を示すブロック図である。図２は車載ナビゲーション装置１の筐体のうち、画像出力装置が取り付けられた面の正面図である。図３は車載ナビゲーション装置１の記憶装置２７に形成された各種記憶領域の説明である。
【００１２】
車載ナビゲーション装置１は、位置検出器２１と、操作スイッチ群２２と、受信回路２３と、地図データ入力器２４と、画像出力装置２５と、音声出力装置２６と、記憶装置２７と、通信装置２８と、制御回路２９とを備えている。
【００１３】
位置検出器２１は、車両の現在位置を特定するために必要な複数の位置算出情報を検出して制御回路２９に出力するための装置で、ＧＰＳ(Global Positioning System）用の人工衛星からの送信電波を受信し、車両の位置等を検出するためのＧＰＳ受信機２１ａと、車両に加えられる回転運動の大きさを検出するためのジャイロスコープ２１ｂと、車両の走行距離を検出するための距離センサ２１ｃと、地磁気から車両の進行方位を検出するための地磁気センサ２１ｄとを備えている。尚、一般によく知られているように、個々の位置算出情報にはそれぞれ誤差があるため、この車載ナビゲーション装置１の制御回路２９においても、各センサ等２１ａ〜２１ｄから得られる各位置算出情報を相互に補完して誤差を少なくして、車両が現在位置する地図上の正確な座標及び進行方向を含む車両の現在位置情報を算出する処理を実行している。
【００１４】
操作スイッチ群２２は、図２に示すように、画像出力装置２５の表面に積層された感圧方式のタッチパネル２２ａと、画像出力装置２５の周囲に設けられたメカニカルなキースイッチ２２ｂ等を備えている。本実施形態の車載ナビゲーション装置１の制御回路２９は、ラジオの放送局をユーザーに選択させる処理を実行すると、タッチパネル２２ａの操作面を１２のブロック（ＳＷ１〜ＳＷ１２）に分割するとともに、各ブロック（ＳＷ１〜ＳＷ１２）が位置する部分に、放送局の放送局名及び周波数等の放送局情報を示した放送局選択画像を画像出力装置２５に表示する処理を行っている。そして、いずれかのブロック（ＳＷ１〜ＳＷ１２）がユーザーに触れられると、タッチパネル２２ａがその触れられたブロック（ＳＷ１〜ＳＷ１２）を操作した旨を知らせる操作信号を制御回路２９に出力して、制御回路２９側でユーザーがいずれの放送局を選択したかを把握できるよう構成されている。
【００１５】
受信回路２３は、図１に示すように、ラジオアンテナ２３ａ、フロントエンド２３ｂ、デコーダ２３ｃ等を備えている。ラジオアンテナ２３ａにて受信した放送電波はフロントエンド２３ｂに入力される。フロントエンド２３ｂは、放送電波のレベル変化（受信強度）を検出する機能を備えており、受信強度の検出結果としてのＳメータ信号を制御回路２９へ出力する。一方、デコーダ２３ｃは、所定の周波数の放送電波を制御回路２９で処理可能な放送信号に復号する機能を備えており、その復号した放送信号を制御回路２９に出力する。尚、このデコーダ２３ｃで復号される放送電波の周波数は、操作スイッチ群２２が操作され制御回路２９で把握している放送局の周波数である。
【００１６】
地図データ入力器２４は、位置特定の精度向上のためのいわゆるマップマッチング用データ、地図データ、マークデータを含む各種データを入力するための装置である。これらのデータの記録媒体としては、ＤＶＤ−ＲＯＭの他、ハードディスクやメモリカード等の記憶媒体を用いるのが一般的であるが、ハードディスクなどの磁気記憶装置やメモリカード等の他の媒体を用いても良い。
【００１７】
画像出力装置２５は、カラー表示装置であり、液晶ディスプレイ，プラズマディスプレイ，ＣＲＴなどがあるが、そのいずれを用いてもよい。この画像出力装置２５は、制御回路２９で行われる各種処理に基づいて、前述した放送局選択画像（図２参照）や、経路案内用の画像等、各種画像を表示する。
【００１８】
音声出力装置２６はスピーカであり、制御回路２９で行われる各種処理に基づいて、地図データ入力器２４より入力した施設のガイドや各種案内の音声、受信回路２３から入力した放送信号に基づく音声を出力する。
【００１９】
記憶装置２７は、フラッシュメモリ、ハードディスク等の記憶装置であり、制御回路２９で実行される各種処理に基づいて各種情報を記憶する。この記憶装置２７には、図３に示すように、第１情報記憶領域５０、第２情報記憶領域５２、第３情報記憶領域５４、選択チャンネル記憶領域５６の４つの記憶領域を含む複数の記憶領域が形成されている。  
【００２０】
第１情報記憶領域５０には、操作スイッチ群２２を形成するタッチパネル２２ａ上の各ブロック（ＳＷ１〜ＳＷ１２）を示すスイッチ情報と、各放送局に関する放送局情報とが１対１で関連付けられた第１情報が記憶されている。この第１情報は、ユーザーに放送局を選択させる際、画像出力装置２５で表示する放送局選択画像（図２参照）を形成するとき等に利用される、いわゆるプリセットメモリ情報である。尚、放送局情報とは、放送局名や周波数等、放送局を特定する情報である。
【００２１】
第２情報記憶領域５２には、所定の放送局群が所定の周波数でラジオ放送を行う放送サービスエリアを示す放送サービスエリア情報と、その放送サービスエリア内で放送を行っている各放送局に関する情報である放送局情報とが１対１で関連付けられた第２情報を記憶されている。ここで放送サービスエリアとは、例えば名古屋周辺のＡＭ放送であれば、ＮＨＫ名古屋第１放送、ＮＨＫ名古屋第２放送、中部日本放送、東海ラジオ放送の放送局群が、７２９ｋＨｚ、９０９ｋＨｚ、１０５３ｋＨｚ、１３３２ｋＨｚの周波数でラジオ放送を行うエリアである。尚、第１情報記憶領域５０の第１情報を形成する一群の放送局情報は、この第２情報を形成するいずれかの放送サービスエリア情報に属する各放送局の放送局情報である。また、各放送サービスエリア情報には、放送サービスエリア名と、この放送サービスエリア名の放送サービスエリアが範囲の位置を占めるのかを示す位置情報とが関連付けられている。
【００２２】
第３情報記憶領域５４には、各放送局の放送局情報と、各放送局のキー局に関するキー局情報が記憶されている。ここでキー局とは、地方の放送局（例えばＮＨＫ名古屋第１）に対して、これらの放送の在京の放送局（例えばＮＨＫ東京第１）のことである。
【００２３】
選択チャンネル記憶領域５６には、タッチパネル２２ａを操作してユーザーが選択した放送局の放送局情報が記憶されている。制御回路２９は、この選択チャンネル記憶領域５６にユーザーが選択した放送局を記憶することによって把握しており、デコーダ２３ｃで複合化される放送電波の周波数は、この選択チャンネル記憶領域５６に記憶された放送局の周波数に一致する。従って、音声出力装置２６から出力される音声も、この選択チャンネル記憶領域５６に記憶された放送局で放送されている放送内容の音声である。
【００２４】
通信装置２８は、無線によりインターネットに接続され、このインターネットに接続された外部コンピュータと通信するための装置であり、ＥＰＧ（電子番組表）情報等の各種情報を入力する。
【００２５】
制御回路２９は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ及びＲＡＭに記憶されたプログラムに基づいて、各種処理を実行する。この制御回路２９で実行される主な処理としては経路案内処理がある。この経路案内処理は、位置検出器２１のセンサ等２１ａ〜２１ｄから入力した位置算出情報に基づき算出された車両の現在位置情報と、地図データ入力器２４を介して読み込んだ現在位置付近の地図情報と、操作スイッチ群２２の操作に従って目的地となる施設を選択し、現在位置から目的地までの最適な経路を自動的に求める経路計算を行った経路情報とに基づいて経路案内画像を画像出力装置２５で表示し、ユーザーに対して経路案内を行う処理である。
【００２６】
次に、この制御回路２９にて実行される選局制御処理について、図４のフローチャート及び、図５の第１情報記憶領域５０の説明図を参照して詳細に説明する。
この選局制御処理は、ユーザーがタッチパネル２２ａを操作して選択した放送局の放送内容が音声出力装置２６から出力されているときに実行される処理である。
【００２７】
この選局制御処理ではまず、放送サービスエリアが変更されたか否かを判定するエリア判定処理が実行される（Ｓ１０）。このエリア判定処理（Ｓ１０）は、具体的には、位置検出器２１を用いて算出された車両の現在位置情報と、放送サービスエリアの位置情報とから、第１情報記憶領域５０に記憶された放送局群が属する放送サービスエリア内に車両が位置しているか否かを監視している。この判定（Ｓ１０）で、第１情報記憶領域５０に記憶された放送局群が属する放送サービスエリア内に車両が位置していると判定されている間は待機し（Ｓ１０：ＮＯ）、放送サービスエリアが変化したと判定されたら（Ｓ１０：ＹＥＳ）、第１情報書換処理（Ｓ１２）を実行する。
【００２８】
この第１情報書換処理（Ｓ１２）では、車両の位置情報に基づいて、車両が現在いずれの放送サービスエリアに位置するかを検索し、第１情報記憶領域５０に記憶された第１情報のうち放送局情報を、第２情報に基づき、検索の結果把握された放送サービスエリアに属する放送局情報に書き換える処理を実行する。このとき、第１情報は、図５に示すように、第３情報を用いて、書き換え前の放送局情報が割り付けられていたスイッチ情報に対して、キー局が同じ放送局情報が割り付けられるように書き換えられる。そして、この処理（Ｓ１２）が終了すると番組適否判定処理（Ｓ１４）を実行する。
【００２９】
番組判定処理（Ｓ１４）では、選択チャンネル記憶領域５６に記憶された放送局情報と同じ放送局情報が対応していたスイッチ情報（図５の例ではＳＷ２）に対し、放送サービスエリアが変更されたことによって新たに対応するようになった変更後の放送局情報（図５の例では、Ｂ２局）の放送局が、変更前の放送局情報の放送局（図５の例では、Ａ２局）と、放送サービスエリアが変更された時点で同じ番組を放送しているか否か判定する。この判定は、通信装置２８を用いインターネットを介して取得したＥＰＧ（電子番組表）情報に基づいて判定する処理を実行する。
【００３０】
そして、この番組判定処理(Ｓ１４)で、番組が変更されていないと判定されたら（Ｓ１４：ＮＯ）、選択チャンネル記憶領域５６に記憶されている放送局情報を、変更の前後でキー局が共通する、放送サービスエリアの変更後の放送局情報に変更（図５の例ではＡ２局→Ｂ２局）する（Ｓ１６）。すると、制御回路２９は、変更後の放送局情報の周波数をデコーダ２３ｃに出力して異なる周波数の放送信号を入力するが、番組が同じなので、音声出力装置２６からは同一番組の音声が継続して出力される。その後、再びエリア判定処理（Ｓ１０）を実行する。一方、この番組判定処理(Ｓ１４)で、番組が変更されていると判定されたら（Ｓ１４：ＹＥＳ）、選択チャンネル記憶領域５６に記憶された放送局（図５の例ではＡ２局）と同じ番組を放送している放送局があるか否かを、ＥＰＧ（電子番組表）情報に基づいて検索する処理を実行する（Ｓ１８）。
【００３１】
この処理（Ｓ１８）で、同じ番組を放送している放送局があると判定した場合は（Ｓ１８：ＹＥＳ）、選択チャンネル記憶領域５６に記憶されている放送局情報を、同じ番組を放送しているキー局が異なる放送局の放送局情報に切り替える処理（Ｓ２０）を実行して、再びＳ１の処理を実行する。この場合、放送サービスエリアが変更された前後で選択チャンネル記憶領域５６に記憶された放送局情報の放送局のキー局は異なるが、番組が同じなので、音声出力装置２６からは同一番組の音声が継続して出力される。その後、再びエリア判定処理（Ｓ１０）を実行する。一方、この処理（Ｓ１８）で、同じ番組を放送していている放送局がないと判定された場合は（Ｓ１８：ＮＯ）、その旨を警告する音声を出力する処理が実行され、タッチパネル２２ａが１２分割され、画像出力装置２５には放送局選択用の画像が出力される（Ｓ２２）。そして、ユーザーがタッチパネルを操作したか否かを検出する処理を実行し（Ｓ２４）、ユーザーが操作スイッチ群２２を操作するまで待機する（Ｓ２４：ＮＯ）。そして、ユーザーが操作スイッチ群２２を操作したことを検出したら（Ｓ２４：ＹＥＳ）、その操作されたスイッチ情報に対応する放送局情報を第１情報記憶領域から検索して、選択チャンネル記憶領域５６に記憶された放送局情報を、その検索された放送局情報に変更して（Ｓ２６）、再びエリア判定処理（Ｓ１０）を実行する。
【００３２】
以上説明した処理を実行すると、あるキー局の系列の放送局が同じ放送サービスエリア内であっても、そのキー局の番組を他のキー局の系列の放送局やローカル局で放送することがあるような場所に移動しても、出力される放送内容が突然変更されることを防止することができるので、車両の搭乗者に不快感を与えることを防止することができる。
【００３３】
尚、本発明の受信出力手段は受信回路２３、音声出力装置２６に相当し、選局制御装置は受信回路２３のデコーダ２３ｃに復号すべき周波数を指示する制御回路２９に相当する。
【００３４】
本発明の番組情報取得手段は通信装置２８、制御回路２９で実行されるＳ１２の処理、本発明の記憶手段は第２情報記憶領域５２、本発明の判定手段は位置検出器２１及び制御回路２９で実行されるＳ１０の処理、本発明の検索手段は制御回路２９で実行されるＳ１８の処理に相当する。
【００３５】
本発明の位置検出手段は位置検出器２１及びこの位置検出器２１から入力した情報から、車両の現在位置を検出する処理を実行する制御回路２９に相当する。本発明の警報手段は音声出力装置２６及び制御回路２９で実行されるＳ２２の処理に相当する。本発明のプリセットメモリ手段は第１情報記憶領域５０に相当する。本発明のプリセットメモリ変更手段は制御回路２９が実行するＳ１２の処理に相当する。
【００３６】
以上本発明の一実施形態について説明したが、本発明はこの実施形態に何等限定されるものではなく、本発明の要旨を逸脱しない範囲において、種々なる態様で実施し得ることは勿論である。
【００３７】
例えば、上記実施形態の選局処理では、エリア判定処理（Ｓ１０）を、位置検出器２１で検出された自車両の現在位置が、記憶装置２７に記憶されたいずれの放送サービスエリア内に位置しているかを監視し、自車両が位置する放送サービスエリアが変わったか否かを判定していたが、フロントエンド２３ｂで検出された最も高いレベル（受信強度）を示す放送電波がいずれの放送サービスエリアに属するかを判定し、最も高いレベルを示す放送電波が属する放送サービスエリアが変わったか否かを判定してもよい。このような判定を行う制御回路２９が本発明の受信状態検出手段に相当する。
【００３８】
また、上記実施形態では、ラジオ放送の放送電波を受信するナビゲーションシステムについて説明したが、テレビ放送の放送電波を受信するよう構成してもよい。
さらに、上記実施形態では、インターネット経由で電子番組情報を取得したが、放送電波に重畳された電子番組情報等を取得してもよい。
【図面の簡単な説明】
【００３９】
【図１】本実施形態の車載ナビゲーション装置１の構成を示すブロック図である。
【図２】本実施形態の車載ナビゲーション装置１の筐体のうち、画像出力装置が取り付けられた面の正面図である。
【図３】本実施形態の車載ナビゲーション装置１の記憶装置２７に形成された各種記憶領域の説明である。
【図４】本実施形態の制御回路２９で実行される選局制御処理のフローチャートである。
【図５】本実施形態の記憶装置２７に形成された第１情報記憶領域５０の説明図である。
【符号の説明】
【００４０】
１…車載ナビゲーション装置、２１…位置検出器、２１ａ…ＧＰＳ受信機、２１ｂ…ジャイロスコープ、２１ｃ…距離センサ、２１ｄ…地磁気センサ、２２…操作スイッチ群、２２ａ…タッチパネル、２３…受信回路、２３ａ…ラジオアンテナ、２３ｂ…フロントエンド、２３ｃ…デコーダ、２４…地図データ入力器、２５…画像出力装置、２６…音声出力装置、２７…記憶装置、２８…通信装置、２９…制御回路、５０…第１情報記憶領域、５２…第２情報記憶領域、５４…第３情報記憶領域、５６…選択チャンネル記憶領域
【図１】
2006050335.tif 000003
【図２】
2006050335.tif 000004
【図３】
2006050335.tif 000005
【図４】
2006050335.tif 000006
【図５】
2006050335.tif 000007